(57)【要約】  本発明は、エアーコンディショナー用の台座及びエアーコンディショナーを提供し、エアーコンディショナーの技術分野に関する。エアーコンディショナーは、上記エアーコンディショナー用の台座を備える。本発明のエアーコンディショナー用の台座は、上台座と、下台座とを備え、前記上台座には、第１ストッパー、及び少なくとも１つの第１係止フックが設けられ、前記下台座には、摺動可能な押圧スナップフィット、及び前記押圧スナップフィットに設けられる少なくとも１つの第２係止フックが設けられ、前記第１係止フックが前記第２係止フックに係止または係脱され、前記第１ストッパーが前記押圧スナップフィットの押圧距離を制限することに用いられる。該エアーコンディショナー用の台座によって、その上台座を下台座から確実かつ容易に脱着することができる。【選択図】図３
2021503065.tif 000002
【特許請求の範囲】
【請求項１】
第１ストッパー（４）、及び少なくとも１つの第１係止フック（５）が設けられる上台座（２）と、
摺動可能な押圧スナップフィット（７）、及び前記押圧スナップフィット（７）に設けられる少なくとも１つの第２係止フック（６）が設けられ、
前記第１係止フック（５）が前記第２係止フック（６）に係止または係脱され、
前記第１ストッパー（４）が、前記押圧スナップフィット（７）の押圧距離を制限する下台座（３）とを備える、ことを特徴とするエアーコンディショナー用の台座。
【請求項２】
前記押圧スナップフィット（７）の摺動方向が前記下台座（３）の前後方向であり、
前記第１ストッパー（４）が前記上台座（２）の後方に設けられる、ことを特徴とする請求項１に記載のエアーコンディショナー用の台座。
【請求項３】
前記下台座（３）には、第２ストッパー（８）が設けられ、
前記第２ストッパー（８）には、貫通穴が開設され、
前記押圧スナップフィット（７）の後端が前記貫通穴に挿入される、ことを特徴とする請求項２に記載のエアーコンディショナー用の台座。
【請求項４】
前記上台座（２）が前記下台座（３）と組み立てられた後、前記第２ストッパー（８）が前記第１ストッパー（４）の前側に当接する、ことを特徴とする請求項３に記載のエアーコンディショナー用の台座。
【請求項５】
前記上台座（２）には、第３ストッパー（９）がさらに設けられ、
前記上台座（２）が前記下台座（３）と組み立てられた後、前記第２ストッパー（８）が前記第３ストッパー（９）の後側に当接する、ことを特徴とする請求項４に記載のエアーコンディショナー用の台座。
【請求項６】
前記上台座（２）の左右両端にはいずれも、第４ストッパー（１０）が設けられ、
前記下台座（３）における左右両端にはいずれも、第５ストッパー（１１）が設けられ、
前記上台座（２）が前記下台座（３）と組み立てられた後、少なくとも１つの前記第５ストッパー（１１）が１つの前記第４ストッパー（１０）の左側に当接し、少なくとも１つの前記第５ストッパー（１１）が１つの前記第４ストッパー（１０）の右側に当接する、ことを特徴とする請求項５に記載のエアーコンディショナー用の台座。
【請求項７】
前記上台座（２）の左右両端にはいずれも、第４ストッパー（１０）が設けられ、
前記下台座（３）の左右両端にはいずれも、第５ストッパー（１１）が設けられ、
前記上台座（２）が前記下台座（３）と組み立てられた後、少なくとも１つの前記第５ストッパー（１１）が１つの前記第４ストッパー（１０）の右側に当接し、少なくとも１つの前記第５ストッパー（１１）が１つの前記第４ストッパー（１０）の左側に当接する、ことを特徴とする請求項５に記載のエアーコンディショナー用の台座。
【請求項８】
前記上台座（２）の左右両端にはいずれも、制限切欠が設けられ、
前記下台座（３）の左右両端にはいずれも、第５ストッパー（１１）が設けられ、
前記上台座（２）が前記下台座（３）と組み立てられた後、前記第５ストッパー（１１）が前記制限切欠内に位置する、ことを特徴とする請求項４に記載のエアーコンディショナー用の台座。
【請求項９】
前記制限切欠は、前記第５ストッパー（１１）の左右方向の移動を制限する、ことを特徴とする請求項８に記載のエアーコンディショナー用の台座。
【請求項１０】
請求項１〜９のいずれか１項に記載のエアーコンディショナー用の台座を備える、ことを特徴とするエアーコンディショナー。
【発明の詳細な説明】
【技術分野】
【０００１】
本発明は、エアーコンディショナーの技術分野に関し、とりわけエアーコンディショナー用の台座及びエアーコンディショナーに関する。
【背景技術】
【０００２】
従来の取り外し可能なエアーコンディショナーは、台座が上台座及び下台座に分けられ、上台座と下台座とが取り外し可能に接続される。上台座と下台座とは、一般的に、スナップフィットによって接合されるが、上台座と下台座との取り外しでは、スナップフィットは、下台座を移動して、移動距離が多すぎる現象が発生しやすく、下台座の内部に縮んで弾き出すことができず、直接台座から欠落して、係止部材が摩損したり、紛失したりするため、上台座を下台座に再び組み立てにくい。
【０００３】
従って、上台座と下台座を確実かつ容易に脱着可能なエアーコンディショナー用の台座を設計することは、現在、早急な解決の待たれる問題である。
【発明の概要】
【発明が解決しようとする課題】
【０００４】
これに鑑みて、本発明は、上台座と下台座とを確実かつ容易に脱着可能なエアーコンディショナー用の台座及びエアーコンディショナーを提供することを目的とする。
【課題を解決するための手段】
【０００５】
上記目的を達成するために、本発明の技術案は以下のように実現される。
【０００６】
エアーコンディショナー用の台座であって、
第１ストッパー、及び少なくとも１つの第１係止フックが設けられる上台座と、
摺動可能な押圧スナップフィット、及び前記押圧スナップフィットに設けられる少なくとも１つの第２係止フックが設けられ、前記第１係止フックが前記第２係止フックに係止または係脱され、前記第１ストッパーが、前記押圧スナップフィットの押圧距離を制限することに用いられる下台座とを備える。
【０００７】
さらに、前記押圧スナップフィットの摺動方向が前記下台座の前後方向であり、前記第１ストッパーが前記上台座の後方に設けられる。
【０００８】
さらに、前記下台座には、第２ストッパーが設けられ、前記第２ストッパーには、貫通穴が開設され、前記押圧スナップフィットの後端が前記貫通穴内に挿入される。
【０００９】
さらに、前記上台座が前記下台座と組み立てられた後、前記第２ストッパーが前記第１ストッパーの前側に当接する。
【００１０】
さらに、前記上台座には、第３ストッパーがさらに設けられ、前記上台座が前記下台座と組み立てられた後、前記第２ストッパーが前記第３ストッパーの後側に当接する。
【００１１】
さらに、前記上台座の左右両端にはいずれも、第４ストッパーが設けられ、前記下台座の左右両端にはいずれも、第５ストッパーが設けられ、前記上台座が前記下台座と組み立てられた後、少なくとも１つの前記第５ストッパーが１つの前記第４ストッパーの左側に当接し、少なくとも１つの前記第５ストッパーが１つの前記第４ストッパーの右側に当接する。
【００１２】
さらに、前記上台座の左右両端にはいずれも、第４ストッパーが設けられ、前記下台座の左右両端にはいずれも、第５ストッパーが設けられ、前記上台座が前記下台座と組み立てられた後、少なくとも１つの前記第５ストッパーが１つの前記第４ストッパーの右側に当接し、少なくとも１つの前記第５ストッパーが１つの前記第４ストッパーの左側に当接する。
【００１３】
さらに、前記上台座の左右両端にはいずれも、制限切欠が設けられ、前記下台座の左右両端にはいずれも、第５ストッパーが設けられ、前記上台座が前記下台座と組み立てられた後、前記第５ストッパーが前記制限切欠内に位置する。
【００１４】
さらに、前記制限切欠は、前記第５ストッパーが左右移動することを制限する。
【００１５】
本発明は、上記エアーコンディショナー用の台座を備えるエアーコンディショナーでもある。
【発明の効果】
【００１６】
本発明のエアーコンディショナー用の台座及びエアーコンディショナーは、従来のそれらに比べて、以下の利点を有する。
１．前記上台座には、少なくとも１つの第１係止フックが設けられ、前記下台座には、摺動可能な押圧スナップフィット、及び前記押圧スナップフィットに設けられる少なくとも１つの第２係止フックが設けられ、前記上台座が前記下台座と組み立てられた後、前記第１係止フックが前記第２係止フックに自動的に係止される。前記押圧スナップフィットを押圧することによって、前記第１係止フックを前記第２係止フックと分離させ、前記上台座を前記下台座と分離させ、前記上台座を前記下台座から脱着しやすい。
【００１７】
２．前記上台座には、第１ストッパーが設けられ、前記第１ストッパーは、押圧スナップフィットが前記下台座の内部に縮んで弾き出されないことがないように、また、前記下台座から欠落することがないように、前記押圧スナップフィットの押圧距離を制限することに用いられ、押圧スナップフィット及び第２係止フックが摩損されないことを確保し、上台座を下台座に再び組み立てやすいので、安全で且つ信頼性が高い。
【００１８】
図面は、本発明の更なる理解を提供するために用いられ、本発明の一部を構成するものである。本発明の例示的な実施例及び説明は、本発明を解釈するためのものであり、本発明に対する不適切な制限を構成するものではない。
【図面の簡単な説明】
【００１９】
【図１】本発明の第１実施例のエアーコンディショナー用の台座の分解構造模式図である。
【図２】本発明の第１実施例のエアーコンディショナー用の台座の組立構造模式図である。
【図３】図２におけるＡ−Ａ線の断面の模式図である。
【図４】図２におけるＢ−Ｂ線の断面の模式図である。
【発明を実施するための形態】
【００２０】
本発明の実施例及び実施例の特徴は、矛盾がない限り、互いに組み合わせることができる。
【００２１】
以下、図面を参照しながら実施例と組み合わせて本発明について詳細に説明する。
【００２２】
第１実施例
図１〜図３を参照して、本実施例は、上台座２と、下台座３とを備えるエアーコンディショナー用の台座１を提供する。
【００２３】
上台座２には、第１ストッパー４及び第１係止フック５が設けられ、第１係止フック５の数は、２つである。下台座３には、摺動可能な押圧スナップフィット７、及び押圧スナップフィット７に設けられる第２係止フック６が設けられ、第２係止フック６の数は、２つである。第１係止フック５が第２係止フック６に係止または係脱され、第１係止フック５が第２係止フック６に係止されるとき、上台座２が下台座３と一体に組み立てられる。第１係止フック５が第２係止フック６と係脱されるとき、上台座２が下台座３と相互に取り外される。
【００２４】
押圧スナップフィット７の摺動方向が下台座３の前後方向であり、第１ストッパー４が上台座２の後方に設けられる。第１ストッパー４は、押圧スナップフィット７の押圧距離を制限することに用いられる。ここで、前後方向とは、エアーコンディショナー用の台座１が壁面に取り付けられた後、壁面に垂直な方向であり、エアーコンディショナー用の台座１の壁面から離れる側の方向を「前方」とし、エアーコンディショナー用の台座１の壁面に接近する方向を「後方」とする。
【００２５】
図３を参照して、右から左へ押圧スナップフィット７を押圧して、第１係止フック５を第２係止フック６と徐々に分離させ、押圧スナップフィット７の左側が第１ストッパー４に当接すれば、押圧スナップフィット７の押圧距離が最大値に達し、このとき、押圧スナップフィット７がまだ下台座３の内部に完全に縮んでおらず、押圧スナップフィット７の押圧された一部が、さらに下台座３から伸び出し、このように、押圧スナップフィット７がバネの付勢力作用でリセットすることに有利であり、再び組み立てまたは分離させるとき、操作しやすい。
【００２６】
第１ストッパー４がない場合、押圧スナップフィット７の押圧では、押圧スナップフィット７の移動距離が長すぎて、下台座３の内部に縮みやすいため、押圧スナップフィット７を正確にリセットすることができず、押圧スナップフィット７の位置を手動で調整する必要があり、手間暇をかけてしまうので操作しにくい。
【００２７】
下台座３には、第２ストッパー８が設けられ、第２ストッパー８には、貫通穴が開設され、押圧スナップフィット７の後端が貫通穴に挿入される。このように、貫通穴は、押圧スナップフィット７に対して案内の作用を果たすことができる。
【００２８】
上台座２が下台座３と組み立てられた後、第２ストッパー８が第１ストッパー４の前側に当接し、つまり、図３においては、第２ストッパー８が第１ストッパー４の右側に当接する。このように、第１ストッパー４は、第２ストッパー８が後方へ移動することを制限し、つまり、上台座２は、下台座３が後方へ移動することを制限する。好ましくは、第１ストッパー４には、斜面が設けられ、斜面は、第２ストッパー８に対して案内作用を果たすことができ、第２ストッパー８と第１ストッパー４とを容易に嵌合できる。
【００２９】
上台座２には、第３ストッパー９がさらに設けられ、第３ストッパー９が第１ストッパー４と間隔をおいて設けられ、第３ストッパー９と第１ストッパー４との隙間が下台座３における第２ストッパー８に嵌合される。上台座２が下台座３と組み立てられた後、第２ストッパー８が第３ストッパー９の後側に当接し、つまり、図３において、第２ストッパー８が第３ストッパー９の左側に当接する。このように、第３ストッパー９は、第２ストッパー８が前へ移動することを制限し、上台座２は、下台座３が前へ移動することを制限する。従って、上台座２における第１ストッパー４、第３ストッパー９が下台座３における第２ストッパー８に嵌合されることによって、上台座２が下台座３の前後方向の移動を制限することができる。
【００３０】
図４を参照して、上台座２の左右両端には、いずれも第４ストッパー１０が設けられ、下台座３の左右両端には、いずれも第５ストッパー１１が設けられ、上台座２が下台座３と組み立てられた後、少なくとも１つの第５ストッパー１１が１つの第４ストッパー１０の左側に当接し、少なくとも１つの第５ストッパー１１が１つの第４ストッパー１０の右側に当接する。このように、上台座２が下台座３の左右方向の移動を制限することができる。
【００３１】
他の実施例では、上台座２による下台座３に対する左右方向の移動の制限は、他の形態で達成されてもよく、たとえば、上台座２の左右両端には、いずれも第４ストッパー１０が設けられ、下台座３の左右両端には、いずれも第５ストッパー１１が設けられ、上台座２が下台座３と組み立てられた後、少なくとも１つの第５ストッパー１１が１つの第４ストッパー１０の右側に当接し、少なくとも１つの第５ストッパー１１が１つの第４ストッパー１０の左側に当接する。上台座２の左右両端には、いずれも制限切欠が設けられ、下台座３の左右両端には、いずれも第５ストッパー１１が設けられ、上台座２が下台座３と組み立てられた後、第５ストッパー１１が制限切欠内に位置し、制限切欠が第５ストッパー１１の左右方向の移動を制限してもよく、同様にして、上台座２が下台座３の左右方向の移動を制限することができる。
【００３２】
本実施例に係るエアーコンディショナー用の台座１は、以下の利点を有する。
１．上台座２には、少なくとも１つの第１係止フック５が設けられ、下台座３には、摺動可能な押圧スナップフィット７、及び押圧スナップフィット７に設けられる少なくとも１つの第２係止フック６が設けられ、上台座２が下台座３と組み立てられた後、第１係止フック５が第２係止フック６に自動的に係止される。押圧スナップフィット７を押圧することによって、第１係止フック５を第２係止フック６と係脱させ、上台座２を下台座３と分離させることによって、上台座２を下台座３から容易に脱着させることができる。
【００３３】
２．上台座２には、第１ストッパー４が設けられ、第１ストッパー４は、押圧スナップフィット７が下台座３の内部に縮んで弾き出されないように、押圧スナップフィット７が下台座３から欠落しないように、押圧スナップフィット７の押圧距離を制限することに用いられ、押圧スナップフィット７及び第２係止フック６が摩損されないことを確保し、上台座２を下台座３に組み立てやすく、安全性及び信頼性が高い。
【００３４】
３．上台座２における第１ストッパー４、第３ストッパー９が下台座３における第２ストッパー８に嵌合されることで、上台座２が下台座３の前後方向の移動を制限することができる。
【００３５】
４．上台座２の左右両端にはいずれも、第４ストッパー１０が設けられ、下台座３の左右両端にはいずれも、第５ストッパー１１が設けられ、第４ストッパー１０が第５ストッパー１１に嵌合されることで、上台座２が下台座３の左右方向の移動を制限することができる。
【００３６】
第２実施例
本実施例は、第１実施例のエアーコンディショナー用の台座１を備えるエアーコンディショナーを提供する。該エアーコンディショナーの上台座２を下台座３から脱着しやすく、接続部材を破損することなく、複数回脱着でき、且つ上台座２が下台座３に相互に強固に位置決めされるので、遊びまたは緩みが発生することなく、安全かつ信頼性が高い。
【００３７】
以上は、本発明の好適な実施例にすぎず、本発明を制限するものではなく、本発明の精神及び原理の範囲内で行われるいかなる補正及び均等な置換や改良などは、いずれも本発明の特許請求の範囲に含まれる。
【符号の説明】
【００３８】
１  エアーコンディショナー用の台座
２  上台座
３  下台座
４  第１ストッパー
５  第１係止フック
６  第２係止フック
７  押圧スナップフィット
８  第２ストッパー
９  第３ストッパー
１０  第４ストッパー
１１  第５ストッパー
【図１】
2021503065.tif 000003
【図２】
2021503065.tif 000004
【図３】
2021503065.tif 000005
【図４】
2021503065.tif 000006
【国際調査報告】
2021503065.tif 000007
2021503065.tif 000008
2021503065.tif 000009
2021503065.tif 000010